(57)【特許請求の範囲】
【請求項１】
アノードに供給される燃料ガスとカソードに供給される酸化剤ガスとの反応により発電を行なう燃料電池と、
前記燃料電池に燃料ガスを流通させる燃料ガス流通路と、
前記カソードに酸化剤ガスを流通させる酸化剤ガス流通路と、
前記燃料ガス流通路と前記酸化剤ガス流通路とを連通する連通流路と、
前記連通流路の開閉を行う連通弁と、
前記アノードから排出された燃料排ガスを酸化剤ガスによって希釈して外部へ排出する燃料排ガス希釈手段と、
前記アノードからの燃料排ガスを前記燃料排ガス希釈手段にパージするパージ弁と、
前記燃料電池の発電停止後の状態変化を監視する状態監視手段と、
前記燃料電池の発電停止後に前記状態変化が所定条件になったときに、前記酸化剤ガスで前記カソードを掃気する第１の掃気を行い、その後、前記連通弁および前記パージ弁を開弁して前記アノードを掃気する第２の掃気を行う掃気手段と、
前記第１の掃気および前記第２の掃気に必要な前記酸化剤ガスの供給量を求める酸化剤ガス供給量算出手段と、を備えた燃料電池システムにおいて、
前記パージ弁の開弁時間を制御するパージ弁開弁時間制御手段と、
前記パージ弁を開閉して前記第１の掃気中のパージを制御するパージ制御手段と、
前記燃料電池の発電停止後の前記第１の掃気までのシステム停止時間に基づいて前記燃料排ガス中の燃料ガスの濃度を予測する燃料ガス濃度予測手段と、
前記燃料電池の発電停止後に前記状態変化が所定条件になったときのアノード圧力に基づいて前記アノードからの燃料ガスの排出量を予測する燃料ガス排出量予測手段と、
前記システム停止時間が所定以上であるか否かを判定するシステム停止時間判定手段と、
前記第１の掃気の際に前記パージ弁開弁時間制御手段により前記パージ弁の開弁時間を、前記燃料ガス濃度予測手段および前記燃料ガス排出量予測手段により予測された前記燃料ガスの濃度および排出量に基づいて、
前記燃料ガスの濃度が高ければ高いほど前記パージ弁の開弁時間を短い時間とするパージ弁開弁時間算出手段と、
前記燃料ガスの濃度が高い場合であっても、前記燃料ガスの排出量が少なければ少ないほど前記パージ弁の開弁時間を長い時間として補正するパージ弁開弁時間補正手段と、をさらに備え、
前記システム停止時間判定手段により前記システム停止時間が所定以上と判定されて前記燃料ガスの濃度が低いと予測される場合には、前記パージ制御手段が前記第１の掃気中のパージを実行せず、前記システム停止時間判定手段により前記システム停止時間が所定以上でないと判定された場合には、前記パージ弁開弁時間算出手段により前記開弁時間を算出するとともに前記パージ弁開弁時間補正手段により前記開弁時間を補正した後に前記パージ制御手段が前記パージ弁を開弁して前記第１の掃気中のパージを実行することを特徴とする燃料電池システム。
【請求項２】
前記パージ弁開弁時間補正手段は、Ｎ回目（Ｎ＝１，２，３，・・・）のパージにおける開弁時間より、（Ｎ＋１）回目のパージにおける開弁時間を長く設定することを特徴とする請求項１に記載の燃料電池システム。
【請求項３】
アノードに供給される燃料ガスとカソードに供給される酸化剤ガスとの反応により発電を行なう燃料電池と、
前記燃料電池に燃料ガスを流通させる燃料ガス流通路と、
前記カソードに酸化剤ガスを流通させる酸化剤ガス流通路と、
前記燃料ガス流通路と前記酸化剤ガス流通路とを連通する連通流路と、
前記連通流路の開閉を行う連通弁と、
前記アノードから排出された燃料排ガスを酸化剤ガスによって希釈して外部へ排出する燃料排ガス希釈手段と、
前記アノードからの燃料排ガスを前記燃料排ガス希釈手段にパージするパージ弁と、
前記燃料電池の発電停止後の状態変化を監視する状態監視手段と、
前記燃料電池の発電停止後に前記状態変化が所定条件になったときに、前記酸化剤ガスで前記カソードを掃気する第１の掃気を行い、その後、前記連通弁および前記パージ弁を開弁して前記アノードを掃気する第２の掃気を行う掃気手段と、
前記第１の掃気および前記第２の掃気に必要な前記酸化剤ガスの供給量を求める酸化剤ガス供給量算出手段と、を備えた燃料電池システムにおいて、
前記パージ弁を開閉して前記第１の掃気中のパージを制御するパージ制御手段と、
前記パージ弁を開弁するインターバル時間を制御するパージインターバル時間制御手段と、
前記燃料電池の発電停止後の前記第１の掃気までのシステム停止時間に基づいて前記燃料排ガス中の燃料ガスの濃度を予測する燃料ガス濃度予測手段と、
前記燃料電池の発電停止後に前記状態変化が所定条件になったときのアノード圧力に基づいて前記アノードからの燃料ガスの排出量を予測する燃料ガス排出量予測手段と、
前記システム停止時間が所定以上であるか否かを判定するシステム停止時間判定手段と、
前記第１の掃気の際に前記パージインターバル時間制御手段により前記インターバル時間を、前記燃料ガス濃度予測手段と前記燃料ガス排出量予測手段により予測された前記燃料ガスの濃度と排出量とに基づいて、
前記燃料ガスの濃度が高ければ高いほど長い時間とするパージインターバル時間算出手段と、
前記燃料ガスの濃度が高い場合であっても、前記燃料ガスの排出量が少なければ少ないほど短い時間として補正するパージインターバル時間補正手段と、をさらに備え、
前記システム停止時間判定手段により前記システム停止時間が所定以上と判定されて前記燃料ガスの濃度が低いと予測される場合には、前記パージ制御手段が前記第１の掃気中のパージを実行せず、前記システム停止時間判定手段により前記システム停止時間が所定以上でないと判定された場合には、前記パージインターバル時間算出手段により前記インターバルを算出するとともに前記パージインターバル時間補正手段により前記インターバルを補正した後に前記パージ制御手段が前記パージ弁を開弁して前記第１の掃気中のパージを実行することを特徴とする燃料電池システム。
【請求項４】
前記パージインターバル時間補正手段は、Ｎ回目（Ｎ＝１，２，３，・・・）のパージにおけるインターバルより、（Ｎ＋１）回目のパージにおけるインターバルを短く設定することを特徴とする請求項３に記載の燃料電池システム。
【請求項５】
前記システム停止時間に基づいて、前記燃料ガスの総パージ量を算出することを特徴とする請求項１から請求項４のいずれか１項に記載の燃料電池システム。
【請求項６】
前記燃料電池の下流側の前記酸化剤ガス流通路に設けられ、前記カソードに供給される酸化剤ガスの圧力を調節する背圧弁を備え、
前記背圧弁の下流側の前記酸化剤ガス流通路には、前記燃料排ガス希釈手段が設けられていることを特徴とする請求項１から請求項５のいずれか１項に記載の燃料電池システム。
【発明の詳細な説明】
【技術分野】
【０００１】
本発明は、燃料電池を掃気する掃気手法を備えた燃料電池システムに関する。
【背景技術】
【０００２】
燃料電池自動車などに搭載される燃料電池システムでは、燃料電池を含む配管内に発電時に生成された水が残留していると、寒冷地や冬季などの低温環境下において、システム停止時に水が凍結して再起動時の低温始動性が低下するという問題がある。このため、システム停止時に燃料電池のアノード側およびカソード側に掃気ガスを導入して掃気処理することが行われている。
【０００３】
この種の燃料電池システムでは、例えば、システム停止時にアノードには燃料ガスが残留しており、アノード掃気時にパージ弁を開弁すると高濃度の水素が排出されるおそれがあるため、アノード掃気前のカソード掃気時にアノード側にも掃気ガスを導入してパージを行なう技術が提案されている（特許文献１参照）。
【特許文献１】特開２００６−１３９９３９号公報（段落００３５、図２）
【発明の開示】
【発明が解決しようとする課題】
【０００４】
ところで、従来のような燃料電池システムにおけるカソード掃気時のアノード系内の水素抜き手法は、アノード系内に残留している最大量の水素を所定以下の濃度で系外に排出するための手法であった。しかし、アノード系内の残留水素量は、例えば、（１）運転停止直前の運転条件（例えば、運転停止直前に、アノード側を低圧運転（例えば、長時間のアイドリング運転）していた場合には、残留水素量は最大水素量よりも少なくなる）、（２）運転停止からアノード掃気実施までの発電停止時間（一般的に、発電停止中にアノード系内の水素は、クロスリークやアウトリークにより系外に拡散しており、アノード掃気実施までの発電停止時間が長いほど、アノード系内の残留水素量は少なくなる）、というパラメータによって変化する。つまり、従来の燃料電池システムでは、このように多くの場面において、必要以上の水素抜き（最悪条件に対応した水素抜き）を実施していることになり、その結果、掃気エネルギの無駄使い（エネルギ効率悪化）、掃気時間が無駄に長くなる（商品性悪化）という問題がある。
【０００５】
本発明は、前記従来の課題を解決するものであり、掃気エネルギを無駄に使うことなく、しかも掃気時間を短くできる燃料電池システムを提供することを目的とする。
【課題を解決するための手段】
【０００６】
請求項１に係る発明は、アノードに供給される燃料ガスとカソードに供給される酸化剤ガスとの反応により発電を行なう燃料電池と、前記燃料電池に燃料ガスを流通させる燃料ガス流通路と、前記カソードに酸化剤ガスを流通させる酸化剤ガス流通路と、前記燃料ガス流通路と前記酸化剤ガス流通路とを連通する連通流路と、前記連通流路の開閉を行う連通弁と、前記アノードから排出された燃料排ガスを酸化剤ガスによって希釈して外部へ排出する燃料排ガス希釈手段と、前記アノードからの燃料排ガスを前記燃料排ガス希釈手段にパージするパージ弁と、前記燃料電池の発電停止後の状態変化を監視する状態監視手段と、前記燃料電池の発電停止後に前記状態変化が所定条件になったときに、前記酸化剤ガスで前記カソードを掃気する第１の掃気を行い、その後、前記連通弁および前記パージ弁を開弁して前記アノードを掃気する第２の掃気を行う掃気手段と、前記第１の掃気および前記第２の掃気に必要な前記酸化剤ガスの供給量を求める酸化剤ガス供給量算出手段と、を備えた燃料電池システムにおいて、前記パージ弁の開弁時間を制御するパージ弁開弁時間制御手段と、前記パージ弁を開閉して前記第１の掃気中のパージを制御するパージ制御手段と、前記燃料電池の発電停止後の前記第１の掃気までのシステム停止時間に基づいて前記燃料排ガス中の燃料ガスの濃度を予測する燃料ガス濃度予測手段と、前記燃料電池の発電停止後に前記状態変化が所定条件になったときのアノード圧力に基づいて前記アノードからの燃料ガスの排出量を予測する燃料ガス排出量予測手段と、前記システム停止時間が所定以上であるか否かを判定するシステム停止時間判定手段と、前記第１の掃気の際に前記パージ弁開弁時間制御手段により前記パージ弁の開弁時間を、前記燃料ガス濃度予測手段および前記燃料ガス排出量予測手段により予測された前記燃料ガスの濃度および排出量に基づいて、前記燃料ガスの濃度が高ければ高いほど前記パージ弁の開弁時間を短い時間とするパージ弁開弁時間算出手段と、前記燃料ガスの濃度が高い場合であっても、前記燃料ガスの排出量が少なければ少ないほど前記パージ弁の開弁時間を長い時間として補正するパージ弁開弁時間補正手段と、をさらに備え、前記システム停止時間判定手段により前記システム停止時間が所定以上と判定されて前記燃料ガスの濃度が低いと予測される場合には、前記パージ制御手段が前記第１の掃気中のパージを実行せず、前記システム停止時間判定手段により前記システム停止時間が所定以上でないと判定された場合には、前記パージ弁開弁時間算出手段により前記開弁時間を算出するとともに前記パージ弁開弁時間補正手段により前記開弁時間を補正した後に前記パージ制御手段が前記パージ弁を開弁して前記第１の掃気中のパージを実行することを特徴とする。
【０００７】
請求項１に係る発明によれば、システム停止時間とアノード圧力によりパージ弁の開弁時間（ＯＮ時間）を算出することで、システム停止時間が短く内部の燃料ガス（水素）濃度が高い場合でも、アノード圧力が低い場合には排出される燃料ガス量も少なくなるため、開弁時間を長く設定できる。よって、排出される燃料ガス量に応じてパージ弁の開弁時間を変更させることで、排出される燃料ガス量（濃度）を一定にすることが可能となり、必要以上の希釈を防止できる。これにより、希釈時間（水素抜きの時間）および掃気（第１の掃気＋第２の掃気）時間の短縮、およびエネルギ効率の向上を図ることが可能になる。
また、システム停止時間が長時間続くと内部のアノード圧力および濃度が所定以下（パージ不要）にまで低下するため、パージを必要としなくなる。よって、システム停止時間が長時間続いた場合には第１の掃気（カソード掃気）中にパージを行わないため、希釈のためのエネルギを削減することが可能になる。
【０００８】
請求項２に係る発明は、前記パージ弁開弁時間補正手段は、Ｎ回目（Ｎ＝１，２，３，・・・）のパージにおける開弁時間より、（Ｎ＋１）回目のパージにおける開弁時間を長く設定することを特徴とする。
【０００９】
請求項２に係る発明によれば、パージを繰り返す毎に内部の燃料ガスの濃度が低下するので、パージ弁の開弁時間を長くすることにより、排出される燃料ガス量を一定にすることが可能になり、希釈時間および掃気時間をさらに短縮することが可能になる。
【００１０】
請求項３に係る発明は、アノードに供給される燃料ガスとカソードに供給される酸化剤ガスとの反応により発電を行なう燃料電池と、前記燃料電池に燃料ガスを流通させる燃料ガス流通路と、前記カソードに酸化剤ガスを流通させる酸化剤ガス流通路と、前記燃料ガス流通路と前記酸化剤ガス流通路とを連通する連通流路と、前記連通流路の開閉を行う連通弁と、前記アノードから排出された燃料排ガスを酸化剤ガスによって希釈して外部へ排出する燃料排ガス希釈手段と、前記アノードからの燃料排ガスを前記燃料排ガス希釈手段にパージするパージ弁と、前記燃料電池の発電停止後の状態変化を監視する状態監視手段と、前記燃料電池の発電停止後に前記状態変化が所定条件になったときに、前記酸化剤ガスで前記カソードを掃気する第１の掃気を行い、その後、前記連通弁および前記パージ弁を開弁して前記アノードを掃気する第２の掃気を行う掃気手段と、前記第１の掃気および前記第２の掃気に必要な前記酸化剤ガスの供給量を求める酸化剤ガス供給量算出手段と、を備えた燃料電池システムにおいて、前記パージ弁を開閉して前記第１の掃気中のパージを制御するパージ制御手段と、前記パージ弁を開弁するインターバル時間を制御するパージインターバル時間制御手段と、前記燃料電池の発電停止後の前記第１の掃気までのシステム停止時間に基づいて前記燃料排ガス中の燃料ガスの濃度を予測する燃料ガス濃度予測手段と、前記燃料電池の発電停止後に前記状態変化が所定条件になったときのアノード圧力に基づいて前記アノードからの燃料ガスの排出量を予測する燃料ガス排出量予測手段と、前記システム停止時間が所定以上であるか否かを判定するシステム停止時間判定手段と、前記第１の掃気の際に前記パージインターバル時間制御手段により前記インターバル時間を、前記燃料ガス濃度予測手段と前記燃料ガス排出量予測手段により予測された前記燃料ガスの濃度と排出量とに基づいて、前記燃料ガスの濃度が高ければ高いほど長い時間とするパージインターバル時間算出手段と、前記燃料ガスの濃度が高い場合であっても、前記燃料ガスの排出量が少なければ少ないほど短い時間として補正するパージインターバル時間補正手段と、をさらに備え、前記システム停止時間判定手段により前記システム停止時間が所定以上と判定されて前記燃料ガスの濃度が低いと予測される場合には、前記パージ制御手段が前記第１の掃気中のパージを実行せず、前記システム停止時間判定手段により前記システム停止時間が所定以上でないと判定された場合には、前記パージインターバル時間算出手段により前記インターバルを算出するとともに前記パージインターバル時間補正手段により前記インターバルを補正した後に前記パージ制御手段が前記パージ弁を開弁して前記第１の掃気中のパージを実行することを特徴とする。
【００１１】
請求項３に係る発明によれば、パージ弁のインターバル時間（閉時間、ＯＦＦ時間）をシステム停止時間とアノード圧力により算出することで、システム停止時間が短くて内部の燃料ガス濃度が高い場合でも、アノード圧力が低い場合には排出される燃料ガス量も少なくなるため、インターバル時間を短く設定できる。よって、排出される燃料ガス量に応じてパージ弁のインターバル時間を変更させることで、排出される燃料ガス量（濃度）を一定にすることが可能となり、必要以上の希釈を防止できる。これにより、希釈時間（水素抜きの時間）および掃気（第１の掃気＋第２の掃気）時間の短縮、およびエネルギ効率の向上を図ることが可能になる。
また、システム停止時間が長時間続くと内部のアノード圧力および濃度が所定以下（パージ不要）にまで低下するため、パージを必要としなくなる。よって、システム停止時間が長時間続いた場合には第１の掃気（カソード掃気）中にパージを行わないため、希釈のためのエネルギを削減することが可能になる。
【００１２】
請求項４に係る発明は、前記パージインターバル時間補正手段は、Ｎ回目（Ｎ＝１，２，３，・・・）のパージにおけるインターバルより、（Ｎ＋１）回目のパージにおけるインターバルを短く設定することを特徴とする。
【００１３】
請求項４に係る発明によれば、パージを繰り返す毎に内部の燃料ガスの濃度が低下するので、インターバル時間を短くすることにより、排出される燃料ガス量（濃度）を一定にすることが可能になり、希釈時間および掃気時間をさらに短縮することが可能になる。
【００１４】
請求項５に係る発明は、前記システム停止時間に基づいて、総パージ量を決定することを特徴とする。
【００１５】
請求項５に係る発明によれば、システム停止時間に基づいて総パージ量を算出することにより、無駄なパージを防止してエネルギ消費を削減できる。
【００１６】
請求項６に係る発明は、前記燃料電池の下流側の前記酸化剤ガス流通路に設けられ、前記カソードに供給される酸化剤ガスの圧力を調節する背圧弁を備え、前記背圧弁の下流側の前記酸化剤ガス流通路には、前記燃料排ガス希釈手段が設けられていることを特徴とする。
【発明の効果】
【００１８】
本発明によれば、掃気エネルギを無駄に使うことなく、しかも掃気時間を短くできる燃料電池システムを提供できる。
【発明を実施するための最良の形態】
【００１９】
（第１実施形態）
図１は本実施形態の燃料電池システムを示す全体構成図、図２は第１実施形態の掃気制御を示すフローチャート、図３（ａ）はシステム停止時間とアノード系内水素濃度との関係を示すマップ、（ｂ）はアノード系内水素濃度とパージ弁の開弁時間との関係を示すマップ、（ｃ）はシステム停止時間と総パージ量との関係を示すマップ、図４はパージ毎のシステム停止時間と開弁時間との関係を示すマップ、図５はアノードパージにおけるパージ弁の開弁時間の変化を示すタイムチャートである。なお、本実施形態では、車両（燃料電池自動車）用の燃料電池システムを例に挙げて説明するが、これに限定されるものではなく、船舶、航空機用の燃料電池システム、定置式の家庭用や業務用電源システムなどあらゆるものに適用できる。
【００２０】
図１に示すように、本実施形態の燃料電池システム１は、燃料電池１０、アノード系２０、カソード系３０、掃気系４０、制御系５０などを含んで構成されている。
【００２１】
燃料電池１０は、例えば、固体高分子型であるＰＥＭ型の燃料電池であり、電解質膜１１を、触媒を含むアノード１２と触媒を含むカソード１３とで挟み、さらに一対の導電性のセパレータ１４，１５で挟んで構成された単セルを厚み方向に複数積層した構造を有している。アノード１２に対向するセパレータ１４には、水素（燃料ガス）が流通するアノード流路１４ａが形成され、カソード１３に対向するセパレータ１５には、空気（酸化剤ガス）が流通するカソード流路１５ａが形成されている。なお、図１は、説明の便宜上、ひとつの単セルを模式的に図示している。
【００２２】
アノード系２０は、燃料電池１０のアノード１２に対して水素（燃料ガス）を給排する系であり、水素タンク２１、遮断弁２２、パージ弁２３、配管ａ１〜ａ５などを含んで構成されている。
【００２３】
水素タンク２１は、例えば、アルミニウム合金により形成され、その内部に高純度の水素ガスを高圧で貯留するタンク室（図示せず）を有し、そのタンク室の周囲をＣＦＲＰ（Carbon Fiber Reinforced Plastic：炭素繊維強化プラスチック）や、ＧＦＲＰ（Glass Fiber Reinforced Plastic：ガラス繊維強化プラスチック）等で形成されたカバー（図示せず）で被覆して構成されている。
【００２４】
遮断弁２２は、ソレノイドを有する電磁作動式のＯＮ／ＯＦＦ弁であり、配管ａ１を介して水素タンク２１と接続され、配管ａ２を介して燃料電池１０のアノード流路１４ａの入口と接続されている。なお、遮断弁２２は、水素タンク２１と一体に構成されたいわゆるインタンク式のものであってもよい。
【００２５】
また、アノード流路１４ａの出口は配管ａ３と図示しないエゼクタとを介して配管ａ２と接続され、アノード１２から排出された未反応の水素をアノード流路１４ａの入口に戻して再循環するように構成されている。これにより、水素タンク２１内に蓄積された水素が有効に利用されるようになっている。
【００２６】
パージ弁２３は、ソレノイドを有する電磁作動式のＯＮ／ＯＦＦ弁であり、配管ａ３の途中に接続された配管ａ４に設けられている。また、パージ弁２３は、後記するＥＣＵ（Ｅｌｅｃｔｒｉｃ  Ｃｏｎｔｒｏｌ  Ｕｎｉｔ）５１の制御によって開弁することにより、アノード流路１４ａを含む流路に残留する不純物を排出するようになっている。なお、不純物とは、カソード１３から電解質膜１１を介してアノード１２に透過した、空気中の窒素、生成水などである。
【００２７】
また、パージ弁２３の下流には、配管ａ５を介して希釈ボックス３５が接続されている。この希釈ボックス３５は、水素を希釈する空間を有し、空間内部においてアノード１２（アノード系２０）から排出された燃料排ガス（アノードオフガス）中の水素が燃料電池１０のカソード流路１５ａから排出されたカソードオフガスによって希釈され、外部（車外）に排出されるようになっている。
【００２８】
なお、アノード系２０には、配管ａ２（エゼクタの上流）に水素タンク２１から供給された高圧の水素を減圧するためのレギュレータ（図示せず）などが設けられている。
【００２９】
カソード系３０は、燃料電池１０のカソード１３に対して空気（酸化剤ガス）を給排する系であり、エアポンプ３１、背圧弁３２、配管ｃ１〜ｃ３などを含んで構成されている。
【００３０】
エアポンプ３１は、スーパーチャージャなどで構成され、カソード流路１５ａの入口と接続された配管ｃ１を介してカソード１３に空気（酸素）を供給するようになっている。なお、配管ｃ１には、エアポンプ３１からの空気を適度に加湿するための加湿器（図示せず）が設けられている。
【００３１】
背圧弁３２は、バタフライ弁などの開度調節可能な弁で構成され、後記するＥＣＵ５１の制御によって開度が変更されることにより、燃料電池１０のカソード１３に供給される空気の圧力を調節できるようになっている。また、背圧弁３２は、配管ｃ２を介してカソード流路１５ａの出口と接続され、配管ｃ３を介して希釈ボックス３５と接続されている。
【００３２】
前記掃気系４０は、燃料電池システム１の運転停止後に、掃気ガスとしてエア（空気）をアノード１２に導入する系であり、エア導入配管４１と、エア導入弁４２などを含んで構成されている。
【００３３】
エア導入配管４１は、上流側が配管ｃ１に接続され、下流側が配管ａ２に接続されている。なお、エア導入配管４１の上流側の端部は、例えば、図示しない加湿器の上流側に位置する配管ｃ１に接続され、下流側の端部は、図示しないエゼクタの下流側に位置する配管ａ２に接続されている。
【００３４】
エア導入弁４２は、電磁作動式のＯＮ／ＯＦＦ弁であり、エア導入配管４１を連通、遮断する弁である。このエア導入弁４２は、燃料電池システム１の掃気時に、後記するＥＣＵ５１の制御によって開弁することにより、エアポンプ３１からの空気がエア導入配管４１を介して燃料電池１０のアノード流路１４ａ（アノード１２）に導入されるようになっている。
【００３５】
前記制御系５０は、ＥＣＵ５１、温度センサ５２、圧力センサ５３などを含んで構成されている。
【００３６】
ＥＣＵ５１は、ＣＰＵ（Ｃｅｎｔｒａｌ  Ｐｒｏｃｅｓｓｉｎｇ  Ｕｎｉｔ）、ＲＡＭ、プログラムが記憶されたＲＯＭ、各種回路などで構成され、遮断弁２２、パージ弁２３およびエア導入弁４２の開閉、背圧弁３２の開度、エアポンプ３１のモータの回転速度を制御し、燃料電池１０の温度（状態）、アノード系２０内の圧力（アノード圧力）を取得するようになっている。
【００３７】
また、ＥＣＵ５１は、酸化剤ガス供給量算出手段、パージ弁開弁時間制御手段、燃料ガス濃度予測手段、燃料ガス排出量予測手段、パージ弁開弁時間算出手段、パージ弁開弁時間補正手段を備えている。なお、パージ弁開弁時間制御手段は、カソード掃気時にアノード１２からの水素を希釈ボックス３５に排出する際のパージ弁２３の開弁時間を制御する機能を有する。
【００３８】
温度センサ５２は、燃料電池１０の温度（システム温度）を検知する（状態変化を監視する）機能を有する状態監視手段であり、例えば燃料電池１０のアノード流路１４ａの入口近傍の配管ａ２に設けられている。なお、温度センサ５２の位置は、燃料電池１０の温度を検出できる位置であればアノード流路１４ａの入口に限定されるものではなく、アノード流路１４ａの出口近傍の配管ａ３、カソード流路１５ａの入口近傍の配管ｃ１、カソード流路１５ａの出口近傍の配管ｃ２、冷却系の冷媒が流通する配管であってもよく、あるいは燃料電池１０の温度を直接測定するものであってもよい。
【００３９】
圧力センサ５３は、アノード系２０内の圧力を検出する機能を有し、例えば燃料電池１０のアノード１２の入口近傍に設けられている。なお、圧力センサ５３の位置は、アノード系２０内の圧力を検出することができるものであれば、本実施形態に限定されるものではない。
【００４０】
次に、本実施形態の燃料電池システム１における運転停止後の掃気制御について図２ないし図５を参照（適宜、図１を参照）して説明する。なお、燃料電池システム１の運転中においては、ＥＣＵ５１の制御によって、遮断弁２２が開弁されて水素タンク２１から燃料電池１０のアノード１２に水素が供給され、またエアコンプレッサ３１が駆動されて燃料電池１０のカソード１３に加湿された空気が供給される。
【００４１】
これにより、燃料電池１０のアノード１２では、触媒の作用によって水素から電子が乖離し、電子が外部負荷（走行モータ、エアポンプなど）を通ってカソード１３に移動し、水素イオン（プロトン）が電解質膜１１を介してカソード１３に透過する。また、カソード１３では、水素イオンと、電子と、エアポンプ３１から供給された空気中の酸素との反応により水が生成される。燃料電池１０の発電電力は、走行モータ（図示せず）やエアポンプ３１などの補機に供給され、また必要に応じて蓄電装置（図示せず）に充電される。なお、蓄電装置は、リチウムイオン電池、ニッケル水素電池、キャパシタなどで構成されている。
【００４２】
図２に示すように、運転者によりイグニッションスイッチ（図示せず）がオフ（ＩＧ−ＯＦＦ）にされると、遮断弁２２が閉じられて水素の供給が停止され、エアポンプ３１が停止されて空気の供給が停止され、発電が停止する。また、システム温度の監視モードに移行して、定期的にシステム温度が検出される。この温度センサ５２によるシステム温度の監視は、ＥＣＵ５１に内蔵されたタイマ機能を用いて行われるようになっている。
【００４３】
ステップＳ１００において、ＥＣＵ５１は、温度センサ５２から定期的に取得した温度（システム温度）が所定温度以下であるか否かを判断する。なお、所定温度（所定条件）は、例えば、温度が低下し且つ水が凍結する前の温度（例えば、５℃）に設定される。このような凍結前の低い温度に設定することにより、燃料電池システム１内の水蒸気が十分に凝縮して、掃気時に燃料電池システム１内の水分を十分に外部に排出して乾燥させることができる。
【００４４】
また、ステップＳ１００において、ＥＣＵ５１は、システム温度が所定温度以下ではないと判断した場合には（Ｎｏ）、ステップＳ１００の処理を繰り返す。なお、システム温度が所定温度以下ではない場合において（Ｓ１００，Ｎｏ）、イグニッションスイッチがオンされたときには、掃気制御を終了する。また、ステップＳ１００において、ＥＣＵ５１は、システム温度が所定温度以下であると判断した場合には（Ｙｅｓ）、ステップＳ１１０に進む。
【００４５】
ステップＳ１１０において、ＥＣＵ５１は、ＩＧ−ＯＦＦしてからシステム温度が所定温度以下となるまでの時間（システム停止時間、発電停止時間）を取得する。このシステム停止時間は、ＥＣＵ５１に内蔵されたタイマ機能を用いて取得される。
【００４６】
ステップＳ１２０において、ＥＣＵ５１は、システム停止時間が所定時間以上（所定以上）であるか否かを判断する。なお、所定時間とは、カソード掃気と同時にアノード１２のパージ（アノードパージ、水素抜き）を実行するか否かを判断するための閾値である。ステップＳ１２０において、ＥＣＵ５１は、システム停止時間が所定時間以上でないと判断した場合には（Ｎｏ）、ステップＳ１５０に進み、システム停止時間が所定時間以上であると判断した場合には（Ｙｅｓ）、ステップＳ１３０に進む。
【００４７】
ステップＳ１５０において、ＥＣＵ５１は、システム停止時間によりアノード系２０内から排出されるアノードオフガス（燃料排ガス）中の水素濃度を推定する（燃料ガス濃度予測手段）。なお、アノード系２０内の水素濃度の推定方法は、例えば、図３（ａ）のマップに基づいて推定される。すなわち、システム停止時間が長くなるにつれて、アノード系２０内の水素濃度が低下する。ちなみに、システム停止時間が長くなるにつれてアノード系２０内の水素濃度が低下するのは、アノード１２側の水素が電解質膜１１を介してカソード１３に透過すること（いわゆるクロスリーク）、水素分子は非常に小さいため、単セル間（セパレータ間）のシール部材などから微量の水素が外部に漏洩すること（いわゆるアウトリーク）による。なお、水素濃度の推定方法は、マップに限定されるものではなく、テーブルや関数などを用いて推定してもよい。
【００４８】
ステップＳ１６０において、ＥＣＵ５１は、圧力センサ５３からアノード圧力を検出して、アノード系２０内から排出される水素の排出量（燃料ガスの排出量）を推定する（燃料ガス排出量予測手段）。なお、アノード圧力は、圧力センサ５３によって検出されるものに限定されず、例えばシステム停止時間に基づいて推定するようにしてもよい。
【００４９】
ステップＳ１７０ａにおいて、ＥＣＵ５１は、パージ弁２３の開弁時間を決定する。なお、パージ弁２３の開弁時間は、アノード系２０内の水素濃度とアノード圧力に基づいて決定される。まず、図３（ｂ）のマップに基づいて、アノード系２０内の水素濃度が高くなるに比例してパージ弁２３の開弁時間が短い時間となるように設定される（パージ弁開弁時間算出手段）。これは、水素濃度が高い場合に開弁時間を長くすると、希釈ボックス３５の希釈能力を超えるからである。なお、図３（ｂ）のマップの縦軸は、パージ弁２３の１回の開弁時間である。
【００５０】
そして、ステップＳ１６０で検出したアノード圧力に基づいて、図３（ｂ）のマップを補正する。すなわち、アノード圧力が低い場合には、アノード系２０内の水素濃度が高い場合であってもパージ弁２３の開弁時間が長くなるほうへ補正する（パージ弁開弁時間補正手段）。
【００５１】
ステップＳ１８０において、ＥＣＵ５１は、図３（ｃ）のマップに基づいて総パージ量を決定する。図３（ｃ）に示すように、システム停止時間が長くなるにつれて、クロスリークやアウトリークによってアノード系２０内の水素濃度が低下するので、アノード系２０をパージする際の総パージ量を少なくできる。なお、前回の運転終了時のアノード圧力を検出し、アノード圧力が高い場合には総パージ量を増加させ、低い場合には総パージ量を減少させるように補正してもよい。
【００５２】
ステップＳ１９０において、ＥＣＵ５１は、カソード掃気（第１の掃気）を実行する。すなわち、ＥＣＵ５１は、図示しない蓄電装置（バッテリなど）の電力を利用して背圧弁３２およびエアポンプ３１を作動させ、背圧弁３２の開度を全開にした状態において、エアポンプ３１からの空気（エア）を、燃料電池１０のカソード１３側に導入する。これにより、燃料電池１０のカソード流路１５ａや配管ｃ１〜ｃ３などに残留している水（生成水、凝縮水など）が外部（車外）に排出される。
【００５３】
また、ステップＳ２００において、ＥＣＵ５１は、カソード掃気と同時に、アノード１２側をパージ（水素抜き、希釈）する制御を行う。すなわち、ＥＣＵ５１は、エア導入弁４２を開弁した状態において、ステップＳ１７０ａで決定した開弁時間（所定時間）だけパージ弁２３を開弁する。これにより、エアポンプ３１からの空気の一部がエア導入配管４１からアノード１２側に導入され、アノード系２０内すなわちアノード流路１４ａ、配管ａ２〜ａ５に残留している水素が希釈ボックス３５を介して外部（車外）に排出される。なお、希釈ボックス３５に導入された水素は、カソード１３から排出された空気など（カソードオフガス）によって所定の水素濃度以下にまで希釈された後に排出される。
【００５４】
ステップＳ２１０において、ＥＣＵ５１は、アノードパージ（水素抜き）が完了したか否かを判断する。ステップＳ２１０にいて、アノードパージが完了していない場合には（Ｎｏ）、ステップＳ２２０ａに進む。なお、アノードパージ完了の判断条件としては、例えば、パージ弁２３の開弁中の水素排出量を算出し、その水素排出量が所定の閾値１に達したと判断した場合、またはアノードパージ開始からの経過時間が所定の閾値２に達した場合である。
【００５５】
ステップＳ２２０ａにおいて、ＥＣＵ５１は、図４のマップに基づいてパージ弁２３の開弁時間を変更する。すなわち、図４に示すように、２回目のパージは、初回のパージによって水素が排出されて水素濃度が低下しているので、破線で示すように、パージ弁２３の開弁時間を初回のパージよりも長く設定できる。また、再度パージ弁２３の開弁時間を変更する場合には、さらに水素濃度が低下しているので、一点鎖線で示すように、３回目のパージ弁２３の開弁時間を２回目よりも長く設定できる。このようにして、アノードパージが完了するまで、パージ弁２３の開弁時間を長く変更しながらアノードパージを実行する。なお、アノードパージとアノードパージとの間のパージ弁２３の各ＯＦＦ時間（閉弁時間）はいずれも同じ時間に設定する。
【００５６】
ステップＳ２１０において、ＥＣＵ５１は、アノードパージが完了したと判断した場合には（Ｙｅｓ）、ステップＳ２３０に進み、カソード掃気が完了したか否かを判断する。なお、カソード掃気完了の判断条件としては、例えばカソード掃気開始から所定時間が経過することにより判断できる。また、所定時間（カソード掃気＋後記するアノード掃気）は、予め実験等によって求められたマップなどを用いて判断でき、燃料電池１０の発電停止から第１の掃気（カソード掃気）までのシステム停止時間が長くなるにしたがって短い時間に設定される（酸化剤ガス供給量算出手段）。また、掃気完了条件としては、時間に限定されるものではなく、エアポンプ３１の下流に流量センサを設けて、所定（掃気完了と判断できる）の積算流量を超えたときに掃気完了と判断するようにしてもよい。
【００５７】
ステップＳ２３０において、ＥＣＵ５１は、カソード掃気が完了していないと判断した場合には（Ｎｏ）、ステップＳ２３０を繰り返し、カソード掃気が完了したと判断した場合には（Ｙｅｓ）、ステップＳ２４０に進み、アノード掃気（第２の掃気）を実行する。アノード掃気では、背圧弁３２を閉じて、エアポンプ３１からの空気をエア導入配管４１を介して燃料電池１０のアノード１２側に導入する。これにより、アノード流路１４ａ、配管ａ２〜ａ５に残留する生成水や凝縮水が、空気の圧力によって吹き飛ばされて、外部（車外）に排出される。
【００５８】
そして、ステップＳ２５０において、ＥＣＵ５１はアノード掃気が完了したか否かを判断し、アノード掃気が完了していないと判断した場合には（Ｎｏ）、ステップＳ２５０を繰り返し、アノード掃気が完了したと判断した場合には（Ｙｅｓ）、処理を終了する。なお、アノード掃気完了の判断条件としては、例えば所定時間が経過したか否かによって判断できる。
【００５９】
一方、ステップＳ１２０において、ＥＣＵ５１は、システム停止時間が所定時間以上であると判断した場合には（Ｙｅｓ）、アノード系２０内の水素濃度が非常に少ないと判断して、ステップＳ１３０に進み、アノードパージを行なうことなく、カソード掃気を実行する。この場合のカソード掃気では、エア導入弁４２およびパージ弁２３を開弁することなく、燃料電池１０のカソード１３に空気（掃気ガス）を供給して掃気する。そして、ステップＳ１４０において、ＥＣＵ５１は、所定時間が経過したか否かによってカソード掃気が完了したか否かを判断する。そして、カソード掃気完了後、アノード掃気を実行する（Ｓ２４０，Ｓ２５０）。なお、この場合（水素抜きが不要の場合）には、アノード掃気、カソード掃気の順で行ってもよい。
【００６０】
また、本実施形態の燃料電池システム１の動作について図５を参照して説明する。すなわち、イグニッションスイッチがオフ（ＩＧ−ＯＦＦ）にされると（時刻ｔ１）、図示しないコンタクタ（燃料電池１０と、走行モータや補機などとの間に設けられた電気的に接続・遮断するもの）が遮断されて、燃料電池１０からの発電電流（電力）の取り出しが停止する。また、遮断弁２２が閉じられて水素の供給が停止し、エアポンプ３１の駆動が停止する。
【００６１】
そして、システム温度が所定温度に達すると（時刻ｔ２）、システム停止時間が決定し、これにより、アノード系２０内の水素濃度を推定でき、水素濃度とアノード圧力に基づいてパージ弁２３の開弁時間などが決定される（Ｓ１００〜Ｓ１８０）。
【００６２】
そして、時刻ｔ２において、エアポンプ３１を駆動してカソード１３に空気を導入してカソード掃気を実行するとともに（Ｓ１９０）、エア導入弁４２を開弁し、パージ弁２３を開閉してアノードパージを実行する（Ｓ２００）。このアノードパージでは、例えば、パージ弁２３を、所定時間Ｔｍ１開弁し、所定時間Ｔｓ閉弁し、所定時間Ｔｍ２開弁し、所定時間Ｔｓ閉弁し、所定時間Ｔｍ３開弁し、所定時間Ｔｓ閉弁する（Ｓ２００〜Ｓ２２０ａ）。ちなみに、初回の開弁時間Ｔｍ１は、水素濃度が高いため短い開弁時間に設定され、３回目の開弁時間Ｔｍ３は、水素の排出が進んでいるので、長い開弁時間が設定される（Ｔｍ１＜Ｔｍ２＜Ｔｍ３）。これは、初回は水素濃度の濃い水素が排出されるので、開弁時間を長くすると、希釈ボックス３５の希釈能力を超えてしまうからである。
【００６３】
このように閉弁時間Ｔｓをそれぞれ一定にして、パージ弁２３の開弁時間をパージ毎に長くすることにより、希釈ボックス３５から均一な水素量で排出され、アノード系２０内の水素が所定濃度まで徐々に低下する。
【００６４】
そして、アノードパージとともにカソード掃気が完了すると（Ｓ２３０，Ｙｅｓ）、時刻ｔ３において、エア導入弁４２を開弁したままで、パージ弁２３を連続的に開弁して、アノード掃気を実行する（Ｓ２４０、Ｓ２５０）。これにより、アノード系２０内に残留した所定濃度以下の水素が、アノード系２０内（アノード流路１４ａ、配管ａ２〜ａ４）に残留している生成水および凝縮水とともに外部に排出される。
【００６５】
以上説明したように、本実施形態によれば、システム停止時間（アノード系内水素濃度）とアノード圧力とによりパージ弁２３の開弁時間を決定することで、システム停止時間が短くアノード系２０内の水素濃度が高い場合でも、アノード圧力が低い場合には排出される水素量が少なくなるため、パージ弁２３の開弁時間を長く設定できる。よって、排出される水素量（アノード圧力）に応じてパージ弁２３の開弁時間を変更することで、水素量（水素濃度）を一定にした状態で排出することが可能になるため、必要以上に希釈が行われるのを防止できるようになる。これにより、アノードパージにおける水素の希釈時間（水素抜きに要する時間）を短縮することができ、掃気時間を短縮することが可能になるとともに、掃気に必要なエネルギを必要最小限まで削減できる。
【００６６】
また、本実施形態によれば、図５において説明したように、アノードパージを繰り返す毎にアノード系２０内の水素濃度は低下するので、パージ弁２３の開弁時間を長くすることにより、排出される水素量を一定にでき、希釈時間および掃気時間のさらなる短縮が可能になる。
【００６７】
また、本実施形態によれば、システム停止時間に基づいて総パージ量を決定することにより（図３（ｃ）参照）、水素濃度を精度よく決定できるので、アノードパージが無駄に行われるのを防止でき、エネルギ消費の削減が可能になる。
【００６８】
また、本実施形態によれば、システム停止時間が長時間に及ぶと、アノード系２０内の圧力および水素濃度がアノードパージ不要となる状態（所定濃度以下）まで低下するので、アノードパージが不要になる。よって、システム停止時間が長時間に及んだ場合にはカソード掃気中のアノードパージを行わないように制御することにより、希釈する際に必要であったエネルギ（例えば、パージ弁２３の開閉に必要な電力）を削減することが可能になる。
【００６９】
（第２実施形態）
図６は第２実施形態の掃気制御を示すフローチャート、図７はアノード系内水素濃度とパージ弁のインターバル時間との関係を示すマップ、図８はパージ毎のシステム停止時間とパージ弁の開弁時間との関係を示すマップ、図９はアノードパージにおけるパージ弁のインターバル動作の変化を示すタイムチャートである。なお、第２実施形態は、図１に示す燃料電池システム１のＥＣＵ５１において、パージ弁開弁時間制御手段に替えてパージインターバル時間制御時間、パージ弁開弁時間補正手段に替えてパージインターバル時間補正手段を備える点において、第１実施形態と相違している。なお、図６において、第１実施形態と同様の処理（ステップ）については、同一のステップ符号を付してその説明を省略する。また、図７の縦軸は、１回のインターバル時間である。
【００７０】
図６に示すように、ステップＳ１７０ｂにおいて、ＥＣＵ５１は、パージ弁２３のインターバル時間（ＯＦＦ時間、閉弁時間）を決定する。このパージ弁２３のインターバル時間は、アノード系２０内のシステム停止時間（水素濃度）と圧力に基づいて決定される。まず、図７のマップに示すように、アノード系２０内の水素濃度が高くなるに比例してパージ弁２３のインターバル時間が長い時間となるように設定される（パージインターバル時間算出手段）。これは、水素濃度が高い場合にインターバル時間を短くすると、希釈ボックス３５の希釈能力を回復させることができないからである。また、図７のマップに示すように、アノード圧力が低い場合には、アノード系２０内の水素濃度が高い場合であってもパージ弁２３のインターバル時間が短くなるほうへ補正する（パージインターバル時間補正手段）。なお、インターバル時間は、排出された水素が十分に希釈されるような時間に設定される。
【００７１】
また、ステップＳ２１０において、ＥＣＵ５１は、アノードパージが完了していないと判断した場合には（Ｎｏ）、ステップＳ２２０ｂに進み、図８のマップに基づいてパージ弁２３のインターバル時間を変更する。すなわち、図８に示すように、２回目のパージは、初回のパージによって水素が排出されて水素濃度が低下しているので、破線で示すように、パージ弁２３のインターバル時間を初回のパージよりも短く設定できる。また、再度パージ弁２３のインターバル時間を変更する場合には、さらに水素濃度が低下しているので、一点鎖線で示すように、３回目のパージ弁２３のインターバル時間を２回目よりも短く設定できる。このようにして、アノードパージが完了するまで、パージ弁２３のインターバル時間を短く変更しながらアノードパージを実行する。なお、パージ弁２３の開弁時間（ＯＮ時間）はいずれも同じ時間に設定される。
【００７２】
図９に示すように、イグニッションスイッチがオフ（ＩＧ−ＯＦＦ）にされると（時刻ｔ１）、図示しないコンタクタが遮断されて、燃料電池１０からの発電電流（電力）の取り出しが停止する。また、遮断弁２２が閉じられて水素の供給が停止され、エアポンプ３１の駆動が停止される。
【００７３】
そして、システム温度が所定温度まで低下すると（時刻ｔ２）、水素濃度とアノード圧力に基づいてパージ弁２３のインターバル時間などが決定される（Ｓ１００〜Ｓ１８０）。
【００７４】
そして、時刻ｔ２において、エア導入弁４２を開弁した状態において、エアポンプ３１を駆動し、カソード１３に空気を導入してカソード掃気を実行するとともに（Ｓ１９０）、パージ弁２３を開閉してアノードパージを実行する（Ｓ２００）。このアノードパージでは、例えば、パージ弁２３を、所定時間Ｔｍ開弁し、所定時間Ｔｓ１閉弁（インターバル）し、所定時間Ｔｍ開弁し、所定時間Ｔｓ２閉弁（インターバル）し、所定時間Ｔｍ開弁し、所定時間Ｔｓ３閉弁（インターバル）する（Ｓ２００〜Ｓ２２０ａ）。ちなみに、初回のインターバル時間Ｔｓ１は、水素濃度が高いため長いインターバル時間を設定しないと希釈ボックス３５の希釈能力を回復できず、３回目のインターバル時間Ｔｓ３は、水素の排出が進んでいるので、短いインターバル時間で希釈ボックス３５の希釈能力を回復できる（Ｔｓ１＞Ｔｓ２＞Ｔｓ３）。
【００７５】
このようにパージ弁２３の所定時間（開弁時間）Ｔｍをそれぞれ一定にして、パージ弁２３のインターバル時間Ｔｓ１〜Ｔｓ３をパージ毎に短くすることにより、希釈ボックス３５から均一な水素量で排出されながら、アノード系２０内の水素が所定濃度まで徐々に低下する。
【００７６】
このように、第２実施形態によれば、アノードパージにおけるパージ弁２３のインターバル時間をシステム停止時間（アノード系内水素濃度）とアノード圧力とにより決定することで、システム停止時間が短くアノード系２０内の水素濃度が高い場合でも、アノード圧力が低い場合には排出される水素量が少なくなるため、パージ弁２３のインターバル時間を短く設定できる。よって、排出される水素量（アノード圧力）に応じてパージ弁２３のインターバル時間を変更することで、水素量（水素濃度）を一定状態で排出することが可能になるため、必要以上に希釈が行われるのを防止できるようになる。これにより、アノードパージにおける水素の希釈時間（水素抜きに要する時間）を短縮することができ、掃気時間を短縮することが可能になるとともに掃気に必要なエネルギを必要最小限まで削減できる。
【００７７】
また、第２実施形態によれば、図９において説明したように、アノードパージを繰り返す毎にアノード系２０内の水素濃度は低下するので、パージ弁２３のインターバル時間を短くすることにより、排出される水素量を一定にすることが可能になり、希釈時間および掃気時間のさらなる短縮が可能になる。
【００７８】
なお、本発明は前記した実施形態に限定されるものではなく、例えば、本実施形態では、パージ弁２３およびエア導入弁４２をそれぞれ単一の構成としたが、複数で構成されていてもよい。また、第１実施形態と第２実施形態とを組み合わせて、アノードパージ毎にパージ弁２３の開弁時間が長くなるように、かつ、パージ弁２３のインターバル時間が短くなるようしてもよい。
【図面の簡単な説明】
【００７９】
【図１】本実施形態の燃料電池システムを示す全体構成図である。
【図２】第１実施形態の掃気制御を示すフローチャートである。
【図３】（ａ）はシステム停止時間とアノード系内水素濃度との関係を示すマップ、（ｂ）はアノード系内水素濃度とパージ弁の開弁時間との関係を示すマップ、（ｃ）はシステム停止時間と総パージ量との関係を示すマップである。
【図４】パージ毎のシステム停止時間とパージ弁の開弁時間との関係を示すマップである。
【図５】アノードパージにおけるパージ弁の開弁時間の変化を示すタイムチャートである。
【図６】第２実施形態の掃気制御を示すフローチャートである。
【図７】アノード系内水素濃度とパージ弁のインターバル時間との関係を示すマップである。
【図８】パージ毎のシステム停止時間とパージ弁の開弁時間との関係を示すマップである。
【図９】アノードパージにおけるパージ弁のインターバル動作の変化を示すタイムチャートである。
【符号の説明】
【００８０】
１      燃料電池システム
１０    燃料電池
１２    アノード
１３    カソード
２３    パージ弁
３５    希釈ボックス（燃料排ガス希釈手段）
４１    エア導入配管（連通流路）
４２    エア導入弁（連通弁）
５１    ＥＣＵ
５２    温度センサ（状態監視手段）
ａ１〜ａ５  配管（燃料ガス流通路）
ｃ１〜ｃ３  配管（酸化剤ガス流通路）
【図１】
0005199683.tif 000002
【図２】
0005199683.tif 000003
【図３】
0005199683.tif 000004
【図４】
0005199683.tif 000005
【図５】
0005199683.tif 000006
【図６】
0005199683.tif 000007
【図７】
0005199683.tif 000008
【図８】
0005199683.tif 000009
【図９】
0005199683.tif 000010